(57)【特許請求の範囲】
【請求項１】
無線通信ネットワークにおける装置であって、
上記装置は、
干渉基地局がサービスするユーザー端末の通信品質を示す指標に相関する第１の情報を取得し、
干渉基地局の干渉を受けるユーザー端末の被干渉程度を示す指標に相関する第２の情報を取得し、
第１の情報と第２の情報に基づいて、干渉基地局のサブフレームのサイレンス比及びパワー低減量を設定することにより干渉基地局による伝送を設定して、基地局間の協調に用いられるように構成される、
回路を含む装置。
【請求項２】
被干渉ユーザー端末の被干渉程度を示す指標と、被干渉ユーザー端末により測定された、前記干渉基地局からの参照信号の参照信号受信パワーとが関係付けられる、請求項１に記載の装置。
【請求項３】
前記回路は、Ｘ２シグナルを介して被干渉ユーザー端末の１つまたは複数の被干渉基地局から第２の情報を取得するように配置される、請求項２に記載の装置。
【請求項４】
上記回路は、さらに、サイレンス比とパワー低減量との所定のパラメータセットを含むパラメータテーブルから選択することで前記サブフレームの伝送を設定するように構成される、請求項１に記載の装置。
【請求項５】
上記回路は、さらに、上記第１の情報と上記第２の情報とを、それぞれ、上記干渉基地局がサービスするユーザー端末の通信品質の下限を含む第１の基準範囲及び上記干渉基地局の干渉を受けるユーザー端末の被干渉程度の上限を含む第２の基準範囲と比較し、且つ第１の情報と第２の情報とがそれぞれ第１の基準範囲及び第２の基準範囲にあるように、第１の情報と第１の基準範囲との比較結果及び第２の情報と第２の基準範囲との比較結果に基づいて、干渉基地局が送信する前記サブフレームを設定するように構成される、請求項１に記載の装置。
【請求項６】
上記回路は、さらに、干渉基地局がサービスするユーザー端末と被干渉のユーザー端末との特性を示す指標に基づいて第１の基準範囲と第２の基準範囲とを調整するように構成される、請求項５に記載の装置。
【請求項７】
干渉基地局がサービスするユーザー端末の通信品質を示す指標は、干渉基地局がサービスするユーザー端末が干渉基地局の信号を受信する時の参照信号受信パワー、通信品質指標、チャネル状態情報に基づく参照信号受信パワー及びリンクの結合損失の中の少なくとも一つに相関する、請求項１に記載の装置。
【請求項８】
被干渉のユーザー端末の被干渉程度を示す指標は、被干渉のユーザー端末が干渉基地局の信号を受信する時の参照信号受信パワー、通信品質指標、チャネル状態情報に基づく参照信号受信パワー及びリンクの結合損失の中の少なくとも一つに相関する、請求項１に記載の装置。
【請求項９】
上記回路は、周期的に、第２の情報の変化量に基づいてサイレンス比とパワー低減量との少なくとも一つを調整し、且つ第２の情報の変化量が所定の閾値より小さい場合に、調整しないように構成される、請求項１に記載の装置。
【請求項１０】
前記装置は、前記干渉基地局として構成される、請求項１に記載の装置。
【請求項１１】
無線通信ヘテロジニアスネットワークであって、
第１の情報取得ユニットと設定ユニットとを含む第１の基地局と、
第２の情報取得ユニットを含む第２の基地局とを含み、
上記第１の情報取得ユニットは、第１の基地局がサービスするユーザー端末の通信品質を示す指標に相関する第１の情報を取得するように構成され、
上記第２の情報取得ユニットは、第２の基地局がサービスするユーザー端末が第１の基地局の干渉を受ける程度を示す指標に相関する第２の情報を取得するように構成され、
上記設定ユニットは、第１の情報と第２の情報とに基づいて、第１の基地局のサブフレームのサイレンス比及びパワー低減量を設定することにより第１の基地局による伝送を設定して、基地局間の協調に用いられるように構成される、無線通信ヘテロジニアスネットワーク。
【請求項１２】
無線通信ヘテロジニアスネットワークであって
第１の情報取得ユニットを含む第１の基地局と、
第２の情報取得ユニットと設定ユニットとを含む第２の基地局とを含み、
上記第１の情報取得ユニットは、第１の基地局がサービスするユーザー端末の通信品質を示す指標に相関する第１の情報を取得するように構成され、
上記第２の情報取得ユニットは、第２の基地局がサービスするユーザー端末が第１の基地局の干渉を受ける程度を示す指標に相関する第２の情報を取得するように構成され、
上記設定ユニットは、第１の情報と第２の情報とに基づいて、第１の基地局のサブフレームのサイレンス比及びパワー低減量を設定することにより第１の基地局による伝送を設定して、基地局間の協調に用いられるように構成される、無線通信ヘテロジニアスネットワーク。
【請求項１３】
無線通信ネットワークに使用される方法であって、
干渉基地局がサービスするユーザー端末の通信品質を示す指標に相関する第１の情報を取得し、
干渉基地局の干渉を受けるユーザー端末の被干渉程度を示す指標に相関する第２の情報を取得し、
第１の情報と第２の情報とに基づいて、干渉基地局のサブフレームのサイレンス比及びパワー低減量を設定することにより干渉基地局による伝送を設定して、基地局間の協調に用いられることを含む、方法。
【請求項１４】
被干渉ユーザー端末の被干渉程度を示す指標と、被干渉ユーザー端末により測定された、前記干渉基地局からの参照信号の参照信号受信パワーとが関係付けられる、請求項１３に記載の方法。
【請求項１５】
前記第２の情報を取得するステップは、Ｘ２シグナルを介して被干渉ユーザー端末の１つまたは複数の被干渉基地局から第２の情報を取得することを含む、請求項１４に記載の方法。
【請求項１６】
無線通信ネットワークにおける装置であって、
前記装置がサービスする被干渉ユーザー端末により測定された、干渉基地局からの参照信号の参照信号受信パワーを取得し、
Ｘ２シグナルを介して前記参照信号受信パワーのシグナルに関係付けられた情報を干渉基地局に提供して、干渉基地局のサブフレームのサイレンス比及びパワー低減量を設定することによる干渉基地局による伝送の設定に用いられることで、基地局間の協調に用いられるように構成される、回路を含む装置。
【発明の詳細な説明】
【技術分野】
【０００１】
本開示は、一般的に、無線通信分野に関し、特に無線通信ヘテロジニアスネットワークにおいてＡＢＳ（Ａｌｍｏｓｔ  Ｂｌａｎｋ  Ｓｕｂｆｒａｍｅ）を設定するための装置、無線通信ヘテロジニアスネットワーク、無線通信ヘテロジニアスネットワークにおいてＡＢＳを設定するための方法に関する。
【背景技術】
【０００２】
ユニバーサル・モバイル・テレコミュニケーション・システム（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ，ＵＭＴＳ）のロング・ターム・エボリューションのアドバンスト（Ｌｏｎｇ  Ｔｅｒｍ  Ｅｖｏｌｕｔｉｏｎ−Ａｄｖａｎｃｅｄ、ＬＴＥ−Ａ）において、セルエッジユーザーの性能により厳しい要求を提出した。例えば、ＬＴＥ−Ａシステムにおいて、マクロ基地局とフェムトセルとが共存する場合では、フェムトセルがクローズドユーザーグループのアクセスの方式を採用すると、そのアクセスリスト内にない、マクロ基地局によりサービスを提供するエッジユーザーが非常に深刻な干渉を受け、ひいてはサービスを得ることが不可能になる。ＡＢＳ技術がこの場合での応用は、マクロ基地局のエッジユーザーの性能を極めて向上させ、現在、既にＬＴＥ−Ａ干渉協調の研究の肝心となった。
【０００３】
ＡＢＳ技術は、干渉源としての基地局が発射する正常なサブフレームに設計パターンに従ってＡＢＳを挿入する。ＡＢＳに対して行われる設定は、ＡＢＳサイレンス比、ＡＢＳ発射パワーの低下量、設計パターンの三つのパラメータに対して行われる。ＡＢＳにおいて、干渉基地局の発射パワーは、設定されたパラメータに基づいてゼロ又は他の所定の低下量に設定されることにより、干渉基地局によりサービスを提供するのではなく被干渉基地局によりサービスを提供するエッジユーザーに対する干渉を低減させて、被干渉基地局のエッジ性能を向上させる。
【発明の概要】
【発明が解決しようとする課題】
【０００４】
しかし、現在のＡＢＳ技術は、被干渉基地局のエッジ性能を向上させると同時に、干渉基地局のトータルスループットの損失を招くことを避けることができない。現在のＡＢＳ技術は、ＡＢＳのパラメータを設定する際にグローバルなコンフィギュレーションを採用したことで、全体評価を基に最適な設定を実現するしかなく、具体的な状況に基づいてＡＢＳを設定するのではなく、さらに、具体的な状況に基づいて被干渉基地局のエッジ性能と干渉基地局のトータルスループットとのトレードオフを行っていない。
【０００５】
よって、具体的な状況に応じてＡＢＳを設定し、さらに、具体的な状況に応じて被干渉基地局のエッジ性能と干渉基地局のトータルスループットとのトレードオフを行い、無線通信ヘテロジニアスネットワークの全体性能を向上させるように、無線通信ヘテロジニアスネットワークにおいてＡＢＳを設定するための装置、無線通信ヘテロジニアスネットワーク、及び無線通信ヘテロジニアスネットワークにおいてＡＢＳを設定するための方法を提供する必要がある。
【課題を解決するための手段】
【０００６】
本開示の実施例によれば、無線通信ネットワークにおける装置を提供し、干渉基地局がサービスするユーザー端末の通信品質を示す指標に相関する第１の情報を取得し、干渉基地局の干渉を受けるユーザー端末の被干渉程度を示す指標に相関する第２の情報を取得し、第１の情報と第２の情報に基づいて、干渉基地局による伝送を設定して、基地局間の協調に用いられるように構成される回路を含む。
【０００７】
本開示の他の実施例によれば、さらに、無線通信ヘテロジニアスネットワークを提供し、第１の情報取得ユニットと設定ユニットとを含む第１の基地局と、第２の情報取得ユニットを含む第２の基地局とを含む。第１の情報取得ユニットは、第１の基地局がサービスするユーザー端末の通信品質を示す指標に相関する第１の情報を取得するように構成される。第２の情報取得ユニットは、第２の基地局がサービスするユーザー端末が第１の基地局の干渉を受ける程度を示す指標に相関する第２の情報を取得するように構成される。設定ユニットは、第１の情報と第２の情報とに基づいて、第1の基地局による伝送を設定して、基地局間の協調に用いられるように構成される。
【０００８】
本開示の他の実施例によれば、さらに、無線通信ヘテロジニアスネットワークを提供し、第１の情報取得ユニットを含む第１の基地局と、第２の情報取得ユニットと設定ユニットとを含む第２の基地局とを含む。第１の情報取得ユニットは、第１の基地局がサービスするユーザー端末の通信品質を示す指標に相関する第１の情報を取得するように構成される。第２の情報取得ユニットは、第２の基地局がサービスするユーザー端末が第１の基地局の干渉を受ける程度を示す指標に相関する第２の情報を取得するように構成される。設定ユニットは、第１の情報と第２の情報とに基づいて、第1の基地局による伝送を設定して、基地局間の協調に用いられるように構成される。
【０００９】
本開示の他の実施例によれば、無線通信ネットワークに使用される方法を提供し、干渉基地局がサービスするユーザー端末の通信品質を示す指標に相関する第１の情報を取得し、干渉基地局の干渉を受けるユーザー端末の被干渉程度を示す指標に相関する第２の情報を取得し、第１の情報と第２の情報とに基づいて、干渉基地局による伝送を設定して、基地局間の協調に用いられることを含む。
【００１０】
本開示の別の他の実施例によれば、無線通信ネットワークにおける装置を提供し、前記装置がサービスする被干渉ユーザー端末により測定された、干渉基地局からの参照信号の参照信号受信パワーを取得し、Ｘ２シグナルを介して前記参照信号受信パワーのシグナルに関係付けられた情報を干渉基地局に提供して、基地局間の協調に用いられるように構成される回路を含む。
【００１１】
本開示の他の実施例によれば、さらに、プログラムを提供し、当該プログラムを実行するコンピュータに、干渉基地局がサービスするユーザー端末の通信品質を示す指標に相関する第１の情報を取得するステップと、干渉基地局の干渉を受けるユーザー端末の被干渉程度を示す指標に相関する第２の情報を取得するステップと、第１の情報と第２の情報とに基づいて、ＡＢＳサイレンス比とパワー低減量との少なくとも一つを調整して干渉基地局が送信するＡＢＳを設定するするステップとを実行させる。
【００１２】
本開示の他の実施例によれば、対応するコンピュータ読み取り可能な記憶媒体を提供し、当該コンピュータ読み取り可能な記憶媒体に計算デバイスにより実行可能なプログラムを記憶して、上記プログラムが実行される場合に上記計算デバイスに上記処理方法を実行させることができる。
【発明の効果】
【００１３】
本開示の他の実施例に提供される無線通信ヘテロジニアスネットワークにおいてＡＢＳを設定するための装置、無線通信ヘテロジニアスネットワーク、及び無線通信ヘテロジニアスネットワークにおいてＡＢＳを設定するための方法によれば、具体的な状況に応じてＡＢＳを設定し、干渉基地局がサービスするユーザー端末及び干渉基地局の干渉を受けるユーザー端末の性能を両立させることにより、無線通信ヘテロジニアスネットワークの全体性能を向上させることができる。
【図面の簡単な説明】
【００１４】
【図１】本開示の実施例に基づく、無線通信ヘテロジニアスネットワークにおいてＡＢＳを設定するための装置の例を示している模式図である。
【００１５】
【図２】本開示の実施例に基づく、ＡＢＳサイレンス比とパワー低減量との所定のパラメータセットを含むパラメータテーブルの例を示している模式図である。
【００１６】
【図３】本開示の実施例に基づく、ＡＢＳサイレンス比とパワー低減量との所定のパラメータセットを含む他のパラメータテーブルの例を示している模式図である。
【００１７】
【図４】本開示の実施例に基づく無線通信ヘテロジニアスネットワークの例を示している模式図である。
【００１８】
【図５】本開示の実施例に基づく他の一つの無線通信ヘテロジニアスネットワークの例を示している模式図である。
【００１９】
【図６】本開示の実施例に基づく、無線通信ヘテロジニアスネットワークにおいてＡＢＳを設定するための方法のフローチャートである。
【００２０】
【図７】本開示の実施例の具体的な応用例を示している模式図である。
【００２１】
【図８】図７の例における干渉基地局のＡＢＳを設定するための模式図を示している。
【００２２】
【図９】本開示の実施例の他の一つの具体的な応用例を示している模式図である。
【００２３】
【図１０】本開示の実施例に基づくハードウェア構成の例を示している模式図である。
【発明を実施するための形態】
【００２４】
以下では、図面と結びつけて本開示の最適な実施例を記述することにより、本開示の前記特徴、長所及びその他の特徴と長所をより明確にする。
【００２５】
下文の記述は、以下の順序に従って行われる。
１．無線通信ヘテロジニアスネットワークにおいてＡＢＳを設定するための装置
２．無線通信ヘテロジニアスネットワーク
３．無線通信ヘテロジニアスネットワークにおいてＡＢＳを設定するための方法
４．具体的な例
５．ハードウェア構成の例
１．無線通信ヘテロジニアスネットワークにおいてＡＢＳを設定するための装置
【００２６】
図１は、本開示の実施例に基づく、無線通信ヘテロジニアスネットワークにおいてＡＢＳを設定するための装置１０を示している。装置１０は、第１の情報取得ユニット１０１、第２の情報取得ユニット１０２及び設定ユニット１０３を含む。
【００２７】
また、図１において、さらに、干渉基地局２０及びそれがサービスするユーザー端末２１、被干渉のユーザー端末３１、及び被干渉のユーザー端末３１へサービスを提供する基地局３０を示している。干渉基地局２０と被干渉のユーザー端末３１へサービスを提供する基地局３０とが無線通信ヘテロジニアスネットワークを構成する。ここで、「ヘテロジニアスネットワーク」とは、ネットワークにおいて異なるタイプの基地局を含むことを指し、これらの基地局はマクロ基地局、フェムトセル、ピコ（Ｐｉｃｏ）セル又は他の適切なタイプの基地局であってもよい。
【００２８】
注意すべきことは、干渉基地局２０がサービするユーザー端末２１は、一つ又は複数であってもよく、ここで、ユーザー端末２１と総称する。同じく、被干渉のユーザー端末３１も、一つ又は複数であってもよく、ここでユーザー端末３１と総称する。ユーザー端末は、携帯電話、ノートパソコン、デスクトップ型パーソナルコンピューター又は他の適切なタイプの通信機能を有するユーザー端末であってもよい。
【００２９】
第１の情報取得ユニット１０１は、第１の情報を取得するように構成され、第１の情報は、ユーザー端末２１の通信品質を示す指標に関し、例えば、ユーザー端末２１の通信品質を示す指標自身又は当該指標に基づいて得られた値であってもよい。
【００３０】
第２の情報取得ユニット１０２は、第２の情報を取得するように構成され、第２の情報は、ユーザー端末３１の被干渉程度を示す指標に関し、例えば、ユーザー端末３１の被干渉程度を示す指標自身又は当該指標に基づいて得られた値であってもよい。
【００３１】
設定ユニット１０３は、第１の情報と第２の情報に基づいて、ＡＢＳサイレンス比とパワー低減量との少なくとも一つを調整することにより干渉基地局２０が送信するＡＢＳを設定するように構成される。
【００３２】
当業者は、装置１０を、干渉基地局２０及び基地局３０と独立して設置してもよく、干渉基地局２０又は基地局３０の内部に設置してもよく、さらに、装置１０の一部のユニットを干渉基地局２０に設置し、他の一部のユニットを基地局３０に設置してもよいと理解すべきである。なお、さらに、装置１０の全部を干渉基地局２０に設置してもよく、その中、第２の情報取得ユニット１０２が、干渉基地局２０と基地局３０との間の例えばＸ２インタフェースにより行われる通信によって第２の情報を取得する。別の可能な方式は、装置１０の全部を基地局３０に設置することであり、その中、第１の情報取得ユニット１０１が、干渉基地局２０と基地局３０との間の例えばＸ２インタフェースにより行われる通信によって第１の情報を取得し、設定ユニット１０３が、干渉基地局２０と基地局３０との間の例えばＸ２インタフェースにより行われる通信によって、干渉基地局２０へＡＢＳの設定を送信する。従って、本開示の実施例によれば、装置１０を含んでいる基地局をさらに開示している。
【００３３】
好ましくは、ユーザー端末２１の通信品質を示す指標は、ユーザー端末２１が干渉基地局２０の信号を受信する時の参照信号受信パワー（ＲＳＲＰ）、通信品質指標（ＣＱＩ）、チャネル状態情報に基づく参照信号受信パワー（ＣＳＩ−ＲＳＲＰ）及びリンクの結合損失の少なくとも一つに相関する。言い換えれば、当該指標は、ユーザー端末２１が干渉基地局２０の信号を受信する時の参照信号受信パワー、通信品質指標、チャネル状態情報に基づく参照信号受信パワー及びリンクの結合損失の中の一つだけに相関してもよく、その中の任意の複数のものに相関してもよく、例えば、複数のパラメータの加重和であってもよい。
【００３４】
注意すべきことは、３ＧＰＰバージョン１０の前のバージョンにおいて、ユーザー端末２１の通信品質を示す指標は、参照信号受信パワーに相関してもよく、ここで、参照信号が、例えばセル専用参照信号（ＣＲＳ）であってもよい。しかし、セル専用参照信号に対する受信パワーを使用して３ＧＰＰバージョン１０及び後のバージョン、及び新しいキャリアタイプ（ＮｅｗＣａｒｒｉｅｒＴｙｐｅ）においてヘテロジニアスネットワーク状況でのチャネル測定を満足しないので、これらの状況で、ユーザー端末２１の通信品質を示す指標は、チャネル状態情報に基づく参照信号受信パワーに相関してもよい。
【００３５】
当業者は、ユーザー端末２１の通信品質を示す指標がその他の適切なパラメータに相関してもよいと理解すべきである。
【００３６】
ユーザー端末２１の通信品質を示す指標は、ユーザー端末２１により測定され干渉基地局２０に提供してもよい。干渉基地局２０は、当該指標に相関する第１の情報を設定ユニット１０３に提供する。特に、設定ユニット１０３が基地局３０に配置された場合に、干渉基地局２０は、基地局の間の例えばＸ２インタフェースにより行われる通信によって第１の情報を設定ユニット１０３に提供する。
【００３７】
当業者は、ユーザー端末２１の通信品質を示す指標が別の方式で測定されてもよく、例えば干渉基地局２０により測定されてもよいと理解すべきである。
【００３８】
好ましくは、ユーザー端末３１の被干渉程度を示す指標は、ユーザー端末３１が干渉基地局２０の信号を受信する時の参照信号受信パワー、通信品質指標、チャネル状態情報に基づく参照信号受信パワー及びリンクの結合損失の少なくとも一つに相関してもよい。言い換えれば、当該指標は、ユーザー端末３１が干渉基地局２０の信号を受信する時の参照信号受信パワー、通信品質指標、チャネル状態情報に基づく参照信号受信パワー及びリンクの結合損失の中の一つだけに相関してもよく、その中の任意の複数のものに相関してもよく、例えば、複数のパラメータの加重和であってもよい。
【００３９】
以上のように、３ＧＰＰバージョン１０の前のバージョンにおいて、ユーザー端末３１の被干渉程度を示す指標は、参照信号受信パワーに相関してもよい。３ＧＰＰバージョン１０及び後のバージョン、並びに新しいキャリアタイプ（ＮｅｗＣａｒｒｉｅｒＴｙｐｅ）において、ユーザー端末３１の被干渉程度を示す指標は、チャネル状態情報に基づく参照信号受信パワーに相関してもよい。
【００４０】
当業者は、ユーザー端末３１の被干渉程度を示す指標が、他の適切なパラメータに相関してもよいと理解すべきである。
【００４１】
なお、ユーザー端末３１の被干渉程度を示す指標は、ユーザー端末３１により測定され基地局３０に提供されてもよい。基地局３０は、当該指標に相関する第２の情報を設定ユニット１０３に提供する。特に、設定ユニット１０３が干渉基地局２０に配置された場合に、基地局３０は、基地局の間の例えばΧ２インタフェースにより行われる通信によって第２の情報を設定ユニット１０３に提供する。
【００４２】
当業者は、ユーザー端末３１の被干渉程度を示す指標が他の方式で測定されてもよく、例えば基地局３０により測定されてもよいと理解すべきである。
【００４３】
好ましくは、設定ユニット１０３は、さらに、ＡＢＳサイレンス比とパワー低減量との所定のパラメータセットを含むパラメータテーブルから選択することにより、干渉基地局２０が送信するＡＢＳを設定するように構成されてもよい。
【００４４】
具体的には、ＡＢＳのパワー低減量が不変である場合に、ＡＢＳのサイレンス比を上げる時に、干渉基地局２０のトータルスループットが低減し干渉基地局２０により干渉された、基地局３０によりサービスを提供するエッジユーザーの性能（即ち、基地局３０のエッジ性能）が上り、逆も同様である。また、ＡＢＳサイレンス比が不変である場合に、ＡＢＳのパワー低減量を上げる時に、干渉基地局２０のトータルスループットが低減し基地局３０のエッジ性能が上り、逆も同様である。
【００４５】
ＡＢＳサイレンス比とパワー低減量との所定のパラメータセットを適切に設定することにより、干渉基地局２０のトータルスループットと基地局３０のエッジ性能が設定されて、無線通信ヘテロジニアスネットワークの全体性能を向上させることができる。
【００４６】
設定ユニット１０３は、他の方式で干渉基地局２０が送信するＡＢＳを設定してもよく、例えばＡＢＳサイレンス比とパワー低減量との一つを変化しないとともに他の一つを変化し、即ちＡＢＳサイレンス比とパワー低減量との何れか一つを調整する。
【００４７】
図２と図３においてＡＢＳサイレンス比とパワー低減量の所定のパラメータセットを含むパラメータテーブルの二つの例を示している。
【００４８】
図２に示すパラメータテーブルにおいて、８セットのパラメータを模式的に示し、その中、サイレンス比が高いほど、パワー低減量が小さくなり、逆にサイレンス比が低いほど、パワー低減量が大きくなる。サイレンス比が１００％である場合に、ＡＢＳのパワー低減量がゼロとなり、この場合に干渉基地局２０が送信する全てがＡＢＳであり、正常のサブフレームを送信しないので、ユーザー端末２１にサービスを提供しない。サイレンス比が１２．５％である場合に、ＡＢＳのパワーがゼロまで低減する（即ち、図２のテーブル第１行の最も右の「ゼロパワー」）。干渉基地局２０が送信するＡＢＳのパワーがゼロまで低減した場合に、干渉基地局２０が送信する当該ＡＢＳは、基本的に基地局３０が同一の時間帯内に送信するサブフレームに干渉しないので、ＡＢＳサイレンス比が不変である場合に基地局３０のエッジ性能をより良く向上させることができる。
【００４９】
当業者は、実際の応用中のパラメータテーブルは、設計のニーズに応じて、他の数のパラメータセットを含んでもよいと理解すべきである。
【００５０】
注意すべきことは、図２に示すパラメータセットにおいて、サイレンス比とパワー低減量とからなるパラメータセットが、サイレンス比がより小さくパワー低減量がより大きいパラメータセットを採用するように設定されることにより、基地局３０のエッジ性能がより良くなり、干渉基地局２０のトータルスループットがより小さくなる。しかしながら、当業者は、具体的なネットワーク状況に応じてＡＢＳサイレンス比とパワー低減量を含む所定のパラメータセットを適切に設定することもできる。例えばサイレンス比の差が非常に大きい２つのセットのパワー低減量の差が非常に小さいように設定されることにより、あるネットワーク状況でサイレンス比がより小さくパワー低減量が大きいパラメータセットを採用して、基地局３０のエッジ性能が少し悪く、干渉基地局２０のトータルスループットがより大きくなるようにする。また、干渉基地局２０のトータルスループットと基地局３０のエッジ性能を大きい範囲で変化させる必要がある場合に、パラメータセットを、パラメータセットにおけるサイレンス比が大きいほどパワー低減量が大きくなるように設定することにより、サイレンス比がより大きくパワー低減量がより大きいパラメータセットは、基地局３０のエッジ性能を大幅に向上させるとともに干渉基地局２０のトータルスループットを低減させることができる。
【００５１】
図３に示すパラメータテーブルにおいて、８セットのパラメータを模式的に示し、その中、図２と類似して、サイレンス比が高いほど、パワー低減量が小さくなり、逆に、サイレンス比が低いほど、パワー低減量が大きくなる。サイレンス比が８０％である場合に、ＡＢＳのパワー低減量がゼロとなる。サイレンス比が１０％である場合に、ＡＢＳのパワーがゼロまで低減する（図２のテーブルにおいて第１の行の最も右の「ゼロパワー」）。図３に示すパラメータテーブルは、例えば、干渉基地局２０がマクロ基地局であり基地局３０がピコセル（Ｐｉｃｏ）である状況に応用されることができる。当該状況において、マクロ基地局が送信するＡＢＳの比が１００％に達することができず、さもなければヘテロジニアスネットワークの主要サービス基地局としてのマクロ基地局が正常に作動できない。当業者は、他の応用状況の特点、特に干渉基地局のタイプに基づいて対応するパラメータセットを設定してもよい。言い換えれば、上記の所定のパラメータセットは、干渉基地局のタイプに基づいて確定される。
【００５２】
好ましくは、設定ユニット１０３は、第１の情報と第２の情報とを、ユーザー端末２１の通信品質の下限を含む第１の基準範囲及びユーザー端末３１の被干渉程度の上限を含む第２の基準範囲とそれぞれ比較し、且つ第１の情報と第２の情報とがそれぞれ第１の基準範囲及び第２の基準範囲中にあるように、第１の情報と第１の基準範囲との比較結果と、第２の情報と第２の基準範囲との比較結果に基づいて干渉基地局２０が送信するＡＢＳを設定するように構成されてもよい。
【００５３】
また、設定ユニット１０３は、ユーザー端末２１とユーザー端末３１の特性を示す指標に基づいて第１の基準範囲と第２の基準範囲を調整することにより、第１の情報と基準範囲との比較結果と、第２の情報と基準範囲との比較結果に基づいて干渉基地局が送信するＡＢＳを設定するように構成されてもよい。
【００５４】
言い換えれば、第１の情報と第２の情報に対してそれぞれ第１の基準範囲と第２の基準範囲を設定し、第１の情報と第２の情報とがそれぞれ第１の基準範囲と第２の基準範囲に保持されるようにＡＢＳに対して設定され、これにより、ＡＢＳに対する設定は、具体的な状況に応じて行うことができる。第１の基準範囲と第２の基準範囲は、ユーザー端末２１とユーザー端末３１の特性を示す指標に基づいて調整することにより、具体的な状況に応じて干渉基地局２０のトータルスループットと基地局３０のエッジ性能とのトレードオフを行うことができる。また、当該基準範囲は、他の適切な指標に基づいて調整するか、又は固定の基準範囲に設定されてもよい。
【００５５】
第１の情報と第２の情報に対してそれぞれ第１の基準範囲と第２の基準範囲を設定するのみならず、第１の情報と第２の情報に相関するパラメータに対して共通の基準範囲を設定し、例えば、第１の情報と第２の情報の加重和に対して一つの共通の基準範囲を設定してもよい。
【００５６】
また、上記指標に基づいて基準範囲を調整する場合に、上記指標に基づいて、それぞれ、第１の情報に用いられる基準範囲と第２の情報に用いられる基準範囲を調整してもよく、上記指標に基づいて第１の情報と第２の情報との両者に用いられる基準範囲を調整してもよい。
【００５７】
当業者にとって、第１の情報と第２の情報に対して基準範囲以外の他の適切な方式を設定し、第１の情報、第２の情報及びユーザー端末２１とユーザー端末３１との特性を示す指標に基づいて、ＡＢＳを設定することにより、具体的な状況に応じて干渉基地局２０のトータルスループットと基地局３０のエッジ性能とのトレードオフを行うこともできる。例えば、第１の情報、第２の情報及びユーザー端末２１とユーザー端末３１との特性を示す指標の加重和に対して一つの基準範囲を設定し、且つ加重和を当該基準範囲に保持するようにＡＢＳを設定してもよい。
【００５８】
ユーザー端末２１とユーザー端末３１の特性を示す指標は、ユーザー端末２１の数、ユーザー端末３１の数、ユーザー端末２１のトラフィック量、ユーザー端末３１のトラフィック量の中の少なくとも一つに相関する。言い換えれば，ユーザー端末２１とユーザー端末３１の特性を示す指標は、ユーザー端末２１の数、ユーザー端末３１の数、ユーザー端末２１のトラフィック量、ユーザー端末３１のトラフィック量の中の一つだけに相関してもよく、その中の任意の複数のものに相関してもよい。以下では、ユーザー端末２１とユーザー端末３１の特性を示す指標の具体的な例を示す。
【００５９】
設定ユニット１０３は、当該指標によって、どのように基地局３０のエッジ性能と干渉基地局２０のトータルスループットとのトレードオフを行うかを確定する。言い換えれば、設定ユニット１０３は、当該指標によって、どのように干渉基地局２０のＡＢＳを設定するかを確定し、具体的な状況に応じて干渉基地局２０のトータルスループットと基地局３０のエッジ性能とのトレードオフを図る。
【００６０】
例えば、当該指標は、ユーザー端末２１の数に相関し、且つユーザー端末２１の数が多いほど、干渉基地局２０のトータルスループットを多く考慮して干渉基地局２０のＡＢＳを設定してもよい。当該指標は、ユーザー端末３１の数に相関し、且つユーザー端末３１の数が多いほど、基地局３０のエッジ性能を多く考慮して干渉基地局２０のＡＢＳを設定してもよい。
【００６１】
当該指標は、ユーザー端末２１とユーザー端末３１との数の関係に相関し、即ち、ユーザー端末２１の数とユーザー端末３１の数との両者に相関してもよい。例えば、ユーザー端末３１とユーザー端末２１との数の比が増加する場合に、基地局３０のエッジ性能を多く考慮して干渉基地局２０のＡＢＳを設定する。
【００６２】
言い換えれば、ユーザー端末３１とユーザー端末２１の特性を示す指標が、ユーザー端末３１の数とユーザー端末２１の数との比に正に相関する場合に、設定ユニット１０３は、当該指標が増加する時に、第１の基準範囲の中でユーザー端末２１の通信品質の下限を下げるとともに、第２の基準範囲に含まれるユーザー端末３１の被干渉程度の上限を下げるように設定されてもよい。
【００６３】
同じく、当該指標は、ユーザー端末２１のトラフィック量に相関し、且つユーザー端末２１のトラフィック量が多いほど、トータルスループットを多く考慮して干渉基地局２０のＡＢＳを設定してもよい。当該指標は、ユーザー端末３１のトラフィック量に相関し、且つユーザー端末３１のトラフィック量が多いほど、基地局３０のエッジ性能を多く考慮して干渉基地局２０のＡＢＳを設定してもよい。
【００６４】
当該指標は、ユーザー端末２１とユーザー端末３１のトラフィック量との関係に相関し、即ち、ユーザー端末２１のトラフィック量とユーザー端末３１のトラフィック量との両者に相関してもよい。例えば、ユーザー端末３１とユーザー端末２１のトラフィック量との比が大きいほど、基地局３０のエッジ性能を多く考慮して干渉基地局２０のＡＢＳを設定する。
【００６５】
言い換えれば、ユーザー端末２１とユーザー端末３１の特性を示す指標が、ユーザー端末３１のトラフィック量とユーザー端末２１のトラフィック量との比に正に相関する場合に、設定ユニット１０３は、当該指標が増加する時に、第１の基準範囲に含まれるユーザー端末２１の通信品質の下限を下げるとともに、第２の基準範囲に含まれるユーザー端末３１の被干渉程度の上限を下げるように構成されてもよい。
【００６６】
もちろん、当該指標は、ユーザー端末２１の数、ユーザー端末３１の数、ユーザー端末２１のトラフィック量、ユーザー端末３１のトラフィック量の四つに相関してもよく、例えば当該指標は、ユーザー端末２１とユーザー端末３１との数の比と、ユーザー端末２１とユーザー端末３１のトラフィック量との比の加重和であってもよい。
【００６７】
当業者は、当該指標は、他の適切な方式に従ってユーザー端末２１の数、ユーザー端末３１の数、ユーザー端末２１のトラフィック量、ユーザー端末３１のトラフィック量の中の少なくとも一つに相関し、当該指標によって、具体的な状況に応じて干渉基地局２０のトータルスループットと基地局３０のエッジ性能とのトレードオフを行うことを図ると理解すべきである。
【００６８】
また、当該指標は、他の適切な、ユーザー端末２１とユーザー端末３１の特性を示すことができるパラメータに相関してもよく、例えばユーザー端末２１とユーザー端末３１の重要性又は優先度に相関し、これにより、当該指標によって、具体的な状況に応じて干渉基地局２０のトータルスループットと基地局３０のエッジ性能とのトレードオフを行うことを図る。
【００６９】
設定ユニット１０３が基地局３０に配置された場合に、設定ユニット１０３は、基地局の間の例えばＸ２インタフェースにより行う通信によって、設定方式に相関する情報を、干渉基地局２０に提供し、例えば、選択したパラメータセットの具体的な数値を干渉基地局２０に提供するか、又は、干渉基地局２０自身がパラメータセットのテーブルを記憶した場合に、選択したパラメータセットの番号を干渉基地局２０に提供する。また、干渉基地局２０自身がパラメータセットのテーブル（例えば図２に示すテーブル）を記憶した場合に、選択したパラメータセットが、現在干渉基地局２０に使用されているパラメータセットに対する相対位置を干渉基地局２０に送信し、例えば、パラメータセットをパワー低減量が大きくサイレンス比が小さい方向へ一つの位置だけ移動させることを示す情報を送信してもよい。
【００７０】
ＡＢＳに対する設定は、周期的に行ってもよく、他の適切な方式で行ってもよく、例えばイベントトリガーに基づいて行う。一つの可能な、イベントトリガーに基づいて行う状況は、干渉基地局２０がユーザー端末２１の数を検出したか又はトラフィック量の変化が所定の条件を満たす場合に、ＡＢＳを新たに設定する。
【００７１】
第１の情報の変化に基づいてＡＢＳサイレンス比とパワー低減量を周期的に調整する場合に、「ピンポン現象」（即ち、第１の方向に向かってＡＢＳの上記パラメータを調整した後に、第１の情報又は第２の情報が対応して変化するので、また、第１の方向と反対の第２の方向に向かってＡＢＳの上記パラメータを調整する必要があり、その後、第１の情報又は第２の情報が対応して変化するので、再度、第１の方向に向かってＡＢＳの上記パラメータを調整する必要があり、当該過程が複数回循環する可能性がある）を避けるために、第１の情報の変化量が所定の閾値より小さい場合に、ＡＢＳサイレンス比とパワー低減量を調整しなくてもよい。
【００７２】
同じく、第２の情報的変化量に基づいてＡＢＳサイレンス比とパワー低減量を周期的に調整する場合に、「ピンポン現象」を避けるために、第２の情報の変化量が所定の閾値より小さい場合に、ＡＢＳサイレンス比とパワー低減量を調整しなくてもよい。
【００７３】
注意すべきことは、ここで、第１の情報と第２の情報に対して設定した所定の閾値が同じであってもよく、異なってもよい。また、第１の情報と第２の情報との相対変化量に対して閾値を設定してもよく、第１の情報と第２の情報との絶対変化量に対して閾値を設定してもよい。
【００７４】
当業者は、他の方式を採用して、ＡＢＳをトリガーして新たに設定する感度を下げて、「ピンポン現象」を避けることもできる。例えば、一方向に向かってＡＢＳの上記パラメータを調整する時の感度を他の方向に向かってＡＢＳの上記パラメータを調整する時の感度と異ならせることにより、上記パラメータの繰り返し調整を避ける。
２．無線通信ヘテロジニアスネットワーク
【００７５】
図４は、本開示の実施例に基づく無線通信ヘテロジニアスネットワーク１００を示している。図２に示すように、ネットワーク１００は、第１の基地局１２０と第２の基地局１３０を含む。第１の基地局１２０は、第１の情報取得ユニット１２２と設定ユニット１２３を含む。第２の基地局１３０は、第２の情報取得ユニッ１３２を含む。システム１００において、第１の基地局１２０が干渉基地局であり、第１の基地局１２０がサービスするユーザー端末がユーザー端末１２１と総称され、第２の基地局１３０がサービスし且つ第１の基地局１２０の干渉を受けるユーザー端末がユーザー端末１３１と総称される。図１における例と類似して、ユーザー端末１２１とユーザー端末１３１は、それぞれ一つ又は複数のユーザー端末であってもよい。
【００７６】
第１の情報取得ユニット１２２は、ユーザー端末１２１の通信品質を示す指標に相関する第１の情報を取得するように構成される。
【００７７】
第２の情報取得ユニット１３２は、ユーザー端末１３１が第１の基地局１２０の干渉を受ける程度を示す指標に相関する第２の情報を取得するように構成される。
【００７８】
設定ユニット１２３は、第１の情報と第２の情報に基づいて、ＡＢＳサイレンス比とパワー低減量との少なくとも一つを調整して第１の基地局１２０が送信するＡＢＳを設定するように構成される。
【００７９】
第１の基地局１２０はフェムトセルであってもよく、この時、第２の基地局１３０はマクロ基地局であってもよい。第１の基地局１２０はマクロ基地局であってもよく、この時、第２の基地局１３０はピコセルであってもよい。第２の基地局１３０は、Ｘ２インタフェースにより第１の基地局１２０へ第２の情報を提供することができる。
【００８０】
図５は、本開示の実施例に基づく無線通信ヘテロジニアスネットワーク２００を示している。図３に示すように、ネットワーク２００は、第１の基地局２２０と第２の基地局２３０を含む。第１の基地局２２０は、第１の情報取得ユニット２２２を含む。第２の基地局２３０は、第２の情報取得ユニット２３２と設定ユニット２３３を含む。システム２００において、第１の基地局２２０が干渉基地局であり、第１の基地局２２０がサービスするユーザー端末がユーザー端末２２１と総称され、第２の基地局２３０がサービスし且つ第１の基地局２２０の干渉を受けるユーザー端末がユーザー端末２３１と総称される。図１と図４の例と類似して、ユーザー端末２２１とユーザー端末２３１は、それぞれ一つ又は複数のユーザー端末であってもよい。
【００８１】
第１の情報取得ユニット２２２は、ユーザー端末２２１の通信品質を示す指標に相関する第１の情報を取得するように構成される。
【００８２】
第２の情報取得ユニット２３２は、ユーザー端末２３１が第１の基地局２２０の干渉を受ける程度を示す指標に相関する第２の情報を取得するように構成される。
【００８３】
設定ユニット２３３は、第１の情報と第２の情報に基づいて、ＡＢＳサイレンス比とパワー低減量との少なくとも一つを調整して第１の基地局２２０が送信するＡＢＳを設定するように構成される。
【００８４】
第１の基地局２２０がフェムトセル、第２の基地局２３０がマクロ基地局であると、第２の基地局２３０は、Χ２インタフェースにより第１の基地局２２０へ第２の情報を提供し、且つ第２の基地局２３０の設定ユニット２３３は、Χ２インタフェースにより第１の基地局２２０が送信するＡＢＳを設定してもよい。
【００８５】
第１の基地局２２０がマクロ基地局、第２の基地局２３０がピコセルであると、第２の基地局２３０は、Ｘ２インタフェースにより第１の基地局２２０へ第２の情報を提供し、且つ第２の基地局２３０の設定ユニット２３３は、Ｘ２インタフェースにより第１の基地局２２０が送信するＡＢＳを設定してもよい。
３．無線通信ヘテロジニアスネットワークにおいてＡＢＳを設定するための方法
【００８６】
図６は、本開示の実施例に基づく、無線通信ヘテロジニアスネットワークにおいてＡＢＳを設定するための方法を示している。
【００８７】
上記方法は、ステップＳ１０２から始める。
【００８８】
ステップＳ１０４において、第１の情報を取得し、第１の情報は干渉基地局がサービスするユーザー端末の通信品質を示す指標に相関する。当該ステップは、例えば第１の情報取得ユニット１０１、１２２又は２２２により実行されてもよい。
【００８９】
ステップＳ１０６において、第２の情報を取得し、第２の情報は、干渉基地局の干渉を受けるユーザー端末の被干渉程度を示す指標に相関する。当該ステップは、例えば第２の情報取得ユニット１０２、１３２又は２３２により実行されてもよい。
【００９０】
ステップＳ１０８において、第１の情報と第２の情報に基づいて、ＡＢＳサイレンス比とパワー低減量との少なくとも一つを調整して干渉基地局が送信するＡＢＳを設定する。当該ステップは、例えば設定ユニット１０３、１２３又は２３３により実行されてもよい。
【００９１】
その後、ステップＳ１１０で処理を終了する。
【００９２】
注意すべきことは、ステップＳ１０４は、必ずしもステップＳ１０６の前で実行しなくてもよく、先にステップＳ１０６を実行してからステップＳ１０４を実行してもよく、ステップＳ１０４とステップＳ１０６とを並行して実行してもよい。
４．具体的な例
【００９３】
以下では、より具体的な例により本開示の実施例の一つの具体的な実施形態を詳細に記述する。
【００９４】
図７は、フェムトセル３２０、３３０とマクロ基地局３４０とが共存する状況を示している。当該状況において、閉じたユーザーテーブルにおけるユーザーだけにサービスするフェムトセル３２０、３３０を干渉基地局として、マクロ基地局３４０のユーザー端末３４１に干渉する。
【００９５】
当業者は、異なる基地局同士が互いに干渉する可能性があり、例えば、一つの可能な状況は、マクロ基地局３４０がフェムトセル３２０又は３３０に干渉すると理解すべきである。当業者は、実際の状況に応じて、ＡＢＳを送信する方式を選択して使用して基地局の間の干渉を抑制することができる。
【００９６】
以下、図７に示す例を記述することにより、当業者は、本開示の実施例が一つ又は複数の干渉基地局を含む無線通信ヘテロジニアスネットワークに対して実施できると意識すべきである。なお、各干渉基地局に対して、全ての干渉基地局のＡＢＳについて、本開示の実施例に基づく方法に従って、それぞれ設定してもよく、その中の一つ又は複数の干渉基地局のＡＢＳだけに本開示の実施例に基づく方法に従ってそれぞれ設定してもよい。
【００９７】
マクロ基地局３４０は、複数のユーザー端末３４１にサービスを提供し、ユーザー端末３４１はユーザー端末３４１ａとユーザー端末３４１ｂを含み、その中、ユーザー端末３４１ａの位置がフェムトセル３２０に接近し且つフェムトセル３２０のユーザーテーブルにないので、フェムトセル３２０の干渉を受け、ユーザー端末３４１ｂの位置がフェムトセル３３０に接近し且つフェムトセル３３０のユーザーテーブルにないので、フェムトセル３３０を受ける。
【００９８】
注意すべきことは、図７において一つのユーザー端末３４１ａと２个ユーザー端末３４１ｂを示したが、当業者は、被干渉のユーザー端末３４１ａと３４１ｂとが一つ又は複数のユーザー端末であってもよいと理解すべきである。
【００９９】
フェムトセル３２０は、そのユーザーテーブルにあるユーザー端末３２１にサービスを提供し、フェムトセル３３０は、そのユーザーテーブルにあるユーザー端末３３１にサービスを提供する。当業者は、ユーザー端末３２１と３３１がそれぞれ一つ又は複数のユーザー端末であってもよいと理解すべきである。
【０１００】
図７において、明確にするために、矢印付きの実線で、基地局がユーザー端末にサービスを提供することを示し、矢印付きの破線で、基地局がユーザー端末に干渉することを示す。
【０１０１】
当業者は、図１の装置１０がマクロ基地局３４０に含まれてもよく、フェムトセル３２０又は３３０に含まれてもよいと理解すべきである。なお、図４に示すように、干渉基地局としてのフェムトセル３２０及び／又は３３０は第１の情報取得ユニット１２２と設定ユニット１２３を含み、マクロ基地局３４０は第２の情報取得ユニット１３２を含んでもよく、図５に示すように、干渉基地局としてのフェムトセル３２０及び／又は３３０は第１の情報取得ユニット２２２を含み、マクロ基地局３４０は第２の情報取得ユニット２３２と設定ユニット２３３を含んでもよい。
【０１０２】
マクロ基地局３４０は、設計パターン３４３に従ってサブフレームを送信し、図７から分かるように、マクロ基地局３４０が送信する全てが正常なサブフレームである。フェムトセル３２０は、設計パターン３２２に従ってサブフレームを送信し、図７から分かるように、フェムトセル３２０は四つの正常なサブフレームを送信する度に一つのＡＢＳを送信する。フェムトセル３３０は、設計パターン３３２に従ってサブフレームを送信し、図７から分かるように、フェムトセル３３０は一つの正常なサブフレームを送信する度に四つのＡＢＳを送信する。
【０１０３】
異なるフェムトセルに対して、異なる、ＡＢＳサイレンス比とパワー低減量とのパラメータセットを含むテーブルを使用できる。例えば、設計パターン３２２と３３２において、サブフレームの高さでサブフレームのパワーを模式的に示す。図７から分かるように、設計パターン３２２のＡＢＳのサイレンス比が設計パターン３３２のＡＢＳよりも低い、同時に設計パターン３２２のＡＢＳが正常なサブフレームのパワー低減量に比べて設計パターン３３２のＡＢＳよりも小さい。これはフェムトセル３２０のＡＢＳを設定するためのパラメータセットと、フェムトセル３３０のＡＢＳを設定するためのパラメータセットが異なるテーブルからのパラメータセットであることを示し、同一テーブルにおいて、サイレンス比が高いほど、パワー低減量が小さくなるからである。
【０１０４】
本開示の実施例に基づいて、フェムトセル３２０がＡＢＳを送信するサイレンス比とパワー低減量、及びフェムトセル３３０がＡＢＳを送信するサイレンス比とパワー低減量は、図２又は図３のテーブルのパラメータセットであってもよい。
【０１０５】
以下で、図８と結びつけて図７に示す例において、フェムトセル３２０が送信するＡＢＳを周期的に設定する方法の一つの具体的な例を記述する。
【０１０６】
図８に示す方法はフェムトセル３２０を干渉基地局とする場合に対応するが、他の基地局（例えばフェムトセル３３０）を干渉基地局とする場合に適用してもよい。そして、図８に示す方法は、他のタイプの基地局が無線通信ヘテロジニアスネットワークを構成する状況に応用し、例えば図９に示す、マクロ基地局とピコセルとが共存し且つ干渉基地局がマクロ基地局である状況に応用してもよい。
【０１０７】
また、図８に示す方法は、周期的に設定することに対応するが、他の方式で設定する場合に適用してもよい。
【０１０８】
ステップＳ２０１において、フェムトセル３２０は、所定の信号指標Ｓ０と所定の干渉指標Ｉ０及びマクロ基地局３３０が送信するＡＢＳを設定するためのパラメータテーブル、例えば図２に示すパラメータテーブルを設定する。Ｓ０はフェムトセル３２０のうちユーザー端末３２１がサービスを受ける性能の予め定められた下限を示し、Ｉ０はマクロ基地局３４０のうちユーザー端末３４１ａがフェムトセル３２０の干渉を受ける程度の予め定められた上限を示す。
【０１０９】
ステップＳ２０２において、フェムトセル３２０がサービスするユーザー端末３２１のトータルトラフィック量Ｔｎｏｎ−ｉｎｔｅｒｆｅｒｅｄ＿ＵＥを算出し、マクロ基地局３４０がサービスする、フェムトセル３２０の干渉を受けるユーザー端末３４１ａのトータルトラフィック量Ｔｉｎｔｅｒｆｅｒｅｄ＿ＵＥを算出し、さらに、干渉を受けるユーザーのトータルトラフィック量と干渉を受けないユーザーのトータルトラフィック量との比を、相対トラフィック量Ｔｒとして算出し、式１を参照する：
【０１１０】
【数１】
0006004119.tif 000002
【０１１１】
ステップＳ２０３において、相対トラフィック量Ｔｒが増大すると、一層に、マクロ基地局３４０のエッジ性能を重視し、マクロ基地局３４０のエッジ性能に対する要求を上げ、フェムトセル３２０のトータルスループットに対する要求を適切に低減すべきことを意味するので、所定の信号指標Ｓ０と所定の干渉指標Ｉ０を低減させる。
【０１１２】
相対トラフィック量Ｔｒが減少すると、一層に、フェムトセル３２０のトータルスループットを重視し、フェムトセル３２０のトータルスループットに対する要求を上げ、マクロ基地局３４０のエッジ性能に対する要求を適切に低減すべきことを意味するので、所定の信号指標Ｓ０と所定の干渉指標Ｉ０を上昇させる。
【０１１３】
所定の信号指標Ｓ０と所定の干渉指標Ｉ０の具体的な低減量と上昇量及び相対トラフィック量Ｔｒの関係は、特定の関数に基づいて算出して得られる。例えば、一つの例示的な関連方式は、所定の信号指標Ｓ０と所定の干渉指標Ｉ０の具体的な低減量と上昇量及び相対トラフィック量Ｔｒの間を線性負に相関させる。
【０１１４】
ステップＳ２０２において、フェムトセル３２０がサービスするユーザー端末３２１の数ｎ１、マクロ基地局３４０がサービスする、フェムトセル３２０の干渉を受けるユーザー端末３４１ａの数ｎ２を算出し、さらに、干渉を受けるユーザーの数と干渉を受けないユーザーとの数の比を相対数ａとして算出してもよい。
【０１１５】
それに応じて、ステップＳ２０３において、相対数ａが増大すると、一層に、マクロ基地局３４０のエッジ性能を重視し、マクロ基地局３４０のエッジ性能に対する要求を上げて、フェムトセル３２０のトータルスループットに対する要求を適切に低減すべきことを意味するので、所定の信号指標Ｓ０と所定の干渉指標Ｉ０を低減させる。
【０１１６】
相対数ａが減少すると、一層に、フェムトセル３２０のトータルスループットを重視し、フェムトセル３２０のトータルスループットに対する要求を上げて、マクロ基地局３４０のエッジ性能に対する要求を適切に低減すべきことを意味するので、所定の信号指標Ｓ０と所定の干渉指標Ｉ０を上昇させる。
【０１１７】
所定の信号指標Ｓ０と所定の干渉指標Ｉ０の具体的な低減量と上昇量及び相対数ａの関係は、特定の関数に基づいて算出して得られることもできる。例えば，一つの例示的な関連方式は、所定の信号指標Ｓ０と所定の干渉指標Ｉ０の具体的な低減量と上昇量及び相対数ａの間を線性負に相関させる。
【０１１８】
ステップＳ２０１乃至Ｓ２０３の処理は、前記の設定ユニット１０３、１２３又は２３３により実行してもよい。
【０１１９】
ステップＳ２０４において、フェムトセル３２０の各ユーザー端末３２１は受信したフェムトセル３２０の信号を測定し、フェムトセル３２０へフェムトセル３２０がサービスするユーザー端末３２１の通信品質を示す指標を報告し、当該指標は、例えばフェムトセル３２０の参照信号を受信する受信パワー（３ＧＰＰバージョン１０前のシステムについて、ＲＳＲＰであり、３ＧＰＰバージョン１０及び後のシステムについて、ＣＳＩ−ＲＳＲＰである）と通信品質指標を含むことができる。ＴＤ−ＬＴＥ（時分割ロング・ターム・エボリューション）システムにおいて、当該指標は、リンクの結合損失パラメータを更に含んでもよい。当該指標は、フェムトセル３２０により前記の第１の情報取得ユニット１０１、１２２又は２２２に提供されてもよい。
【０１２０】
また、フェムトセル３２０がサービスするユーザー端末３２１の通信品質を示す指標は、例えばユーザー端末３２１がフェムトセル３２０の参照信号に対する受信パワーと、ユーザー端末３２１が全ての基地局の参照信号に対する受信パワーの和との比を更に含んでもよい。当該指標は、それに含まれる各パラメータの加重和であってもよい。
【０１２１】
ステップＳ２０５において、マクロ基地局３４０の各ユーザー端末３４１は、受信した全ての基地局の信号を測定し、あるユーザー端末３４１について、マクロ基地局３４０以外の基地局の参照信号に対する受信パワーがマクロ基地局３４０の参照信号に対する受信パワーよりもある所定のパーセント（例えば５０％）だけ大きいと、当該ユーザー端末を、マクロ基地局３４０以外の基地局の干渉を受けるユーザー端末として認識する。これにより、マクロ基地局３４０がサービスするユーザー端末３４１のうちフェムトセル３２０の干渉を受けるユーザー端末３４１ａ、３４１ｂを認識する。被干渉のユーザー端末３４１ａ、３４１ｂはともに一つ又は複数のユーザー端末であってもよい。認識した、フェムトセル３２０の干渉を受けるユーザー端末３４１ａは、マクロ基地局３４０へユーザー端末３４１ａの被干渉程度を示す指標を報告し、当該指標は、例えばフェムトセル３２０の参照信号を受信する受信パワーと通信品質指標を含むことができる。ＴＤ−ＬＴＥシステムにおいて、当該指標は、リンクの結合損失パラメータを更に含んでもよい。当該指標は、マクロ基地局３４０により前記の第２の情報取得ユニット１０２、１３２又は２３２に提供されてもよい。
【０１２２】
また、フェムトセル３２０の干渉を受けるユーザー端末３４１ａの被干渉程度を示す指標は、例えばユーザー端末３４１ａがフェムトセルの参照信号３２０に対する受信パワーと、ユーザー端末３４１ａが全ての基地局の参照信号に対する受信パワーの和との比を更に含んでもよい。当該指標は、それに含まれる各パラメータの加重和であってもよい。
【０１２３】
ステップＳ２０６において、ステップＳ２０４で取得したフェムトセル３２０がサービスするユーザー端末３２１の通信品質を示す指標に基づいて、本開示の実施例に基づく第１の情報の例としての信号指標Ｓを算出する。特に、複数のユーザー端末３２１によりそれぞれ各ユーザー端末３２１の通信品質を示す指標を提供する場合に、各ユーザー端末３２１の重要性に基づいてこれらの指標の加重和を指標Ｓとして求めてもよく、直接にこれらの指標の平均値を指標Ｓとして求めてもよく、或いは他の適切な方式で指標Ｓを算出してもよい。当該処理は、前記の第１の情報取得ユニット１０１、１２２又は２２２により実行されてもよい。
【０１２４】
ステップＳ２０６において、ステップＳ２０５で取得したフェムトセル３２０の干渉を受けるユーザー端末３４１ａの被干渉程度を示す指標に基づいて、本開示の実施例に基づく第２の情報の例としての干渉指標Ｉを算出する。特に、複数のユーザー端末３４１ａによりそれぞれ各ユーザー端末３４１ａの被干渉程度を示す指標を提供した場合に、各ユーザー端末３４１ａの重要性に基づいて指標の加重和を指標Ｉとして求めてもよく、直接にこれらの指標の平均値を指標Ｉとして求めてもよく、又は他の適切な方式で指標Ｉを算出してもよい。当該処理は、前記の第２の情報取得ユニット１０２、１３２又は２３２により実行されてもよい。
【０１２５】
ステップＳ２０７において、信号指標Ｓと所定の信号指標Ｓ０とを比較し、Ｓ＜Ｓ０であると、ステップＳ２０８においてパラメータテーブルにおけるＡＢＳサイレンス比がより大きく且つパワー低減量がより小さいパラメータセットを選択してフェムトセル３２０が送信するＡＢＳを設定することにより、フェムトセル３２０のトータルスループットを向上させる。注意すべきことは、ここで、図２のパラメータセットのテーブルを例として説明した。図２に示すパラメータセットのテーブルにおいて、前記のように、サイレンス比がより小さく且つパワー低減量がより大きいパラメータセットは、マクロ基地局３４０のエッジ性能をより良くし、フェムトセル３２０のトータルスループットを小さくする。
【０１２６】
同じく、ステップＳ２０７において、干渉指標Ｉと所定の干渉指標Ｉ０を比較し、Ｉ＞Ｉ０である場合、ステップＳ２０８において、パラメータテーブルにおけるＡＢＳサイレンス比がより小さく且つパワー低減量がより大きいパラメータセットを選択してフェムトセル３２０が送信するＡＢＳを設定することにより、マクロ基地局３４０のエッジ性能を向上させる。
【０１２７】
Ｓ≧Ｓ０且つＩ≦Ｉ０、即ち信号指標Ｓがその下限としての所定の信号指標Ｓ０以上であり且つ干渉指標Ｉがその上限としての所定の干渉指標Ｉ０以下であると、ＡＢＳのパラメータを調整しない。この時、実際のニーズに応じて所定の信号指標Ｓ０と所定の干渉指標Ｉ０とを適切に調整して、フェムトセル３２０のトータルスループットとマクロ基地局３４０のエッジ性能に対してより高い要求を提出してもよい。
【０１２８】
Ｓ＜Ｓ０且つＩ＞Ｉ０であると、フェムトセル３２０のトータルスループットとマクロ基地局３４０のエッジ性能とがいずれも所定の要求を満足しないことを意味し、この時、実際のニーズに応じて所定の信号指標Ｓ０と所定の干渉指標Ｉ０とを適切に調整して、フェムトセル３２０のトータルスループットとマクロ基地局３４０のエッジ性能に対して要求を低減させてもよい。この状況が故障に起因する場合もあるので、この状況でエラー情報を発することもできる。
【０１２９】
ステップＳ２０７とステップＳ２０８の処理は、前記の設定ユニット１０３、１２３又は２３３により実行されてもよい。
【０１３０】
ステップＳ２０８が完了した後に、処理は次のサイクルに進む。
【０１３１】
注意すべきことは、ＡＢＳを設定する時に前記に記述の「ピンポン現象」を避けるために、信号指標Ｓの変化量が所定の閾値より小さい場合に（例えば５％より小さい）、信号指標Ｓと所定の信号指標Ｓ０との比較を行わず、さらに、ＡＢＳサイレンとパワー低減量を調整しなくてもよい。同じく、干渉指標Ｉの変化量が所定の閾値より小さい，例えば５％より小さい場合に、干渉指標Ｉと所定の干渉指標Ｉ０との比較を行わず、さらに、ＡＢＳサイレンス比とパワー低減量を調整しなくてもよい。この場合、信号指標Ｓ又は干渉指標Ｉが所定の閾値より小さい変化量で連続的変化したことで大きい累積変化量をもたらすことによりＡＢＳサイレンス比とパワー低減量に対する設定がそのまま維持される場合を防止するために、干渉指標Ｉ又は信号指標Ｓの変化量の連続の所定の回数（例えば５回）が所定の閾値より小さい場合に、干渉指標Ｉと所定の干渉指標Ｉ０の比較又は信号指標Ｓと所定の信号指標Ｓ０の比較を行うように構成してもよい。
【０１３２】
また、上述のように、その適切なメカニズムを採用してＡＢＳを設定する時の「ピンポン現象」を避けることもできる。
【０１３３】
図９は、本開示の実施例に基づく他の例を示している。当該状況で、マクロ基地局４２０とピコセル４３０、４４０とは共存する。マクロ基地局４２０は、干渉基地局として、ピコセル４３０、４４０のユーザー端末４３１ａ、４３１ｂ、４４１ａ、４１ｂに干渉する。
【０１３４】
マクロ基地局４２０はユーザー端末４２１にサービスを提供し、ピコセル４３０はユーザー端末４３１ａ、４３１ｂにサービスを提供し、ピコセル４４０はユーザー端末４４１ａ、４４１ｂにサービスを提供する。
【０１３５】
ピコセル４３０、４４０とマクロ基地局４２０とがともにオープンのユーザーアクセス方式を採用したので、ピコセル４３０、４４０のエッジ領域において、マクロ基地局４２０がピコセル４３０のユーザー端末４３１ａとピコセル４４０のユーザー端末４４１ａに干渉する。
【０１３６】
図７と類似して、図９において、矢印付きの実線で基地局がユーザー端末にサービスを提供することを示し、矢印付きの破線で基地局がユーザー端末に干渉することを示す。
【０１３７】
当業者は、異なる基地局同士が互いに干渉する可能性があり、例えば、一つの可能な状況は、ピコセル４３０、４４０がマクロ基地局４２０に干渉すると理解すべきである。当業者は、実際の状況に応じて、ＡＢＳを送信する方式を選択して使用して基地局の間の干渉を抑制することができる。
【０１３８】
図９に示すように、マクロ基地局４２０は、ＡＢＳ付きの設計パターン４２２でサブフレームを送信することにより、ピコセル４３０、４４０のエッジ性能を改善する。同時に、ピコセル４３０、４４０は、それぞれ設計パターン４３２、４４２でＡＢＳが付かないサブフレームを送信する。
【０１３９】
設計パターン４２２において、サブフレームの高さでサブフレームのパワーを模式的に示す。図９から分かるように、マクロ基地局４２０は、一つの正常なサブフレームを送信する度に四つのＡＢＳを送信する。本開示の実施例に基づいて、マクロ基地局４２０がＡＢＳを送信するサイレンス比とパワー低減量は図３のテーブルのパラメータセットであってもよい。
【０１４０】
当業者は、図１における装置１０は、マクロ基地４２０に含まれてもよく、ピコセル４３０又は４４０に含まれてもよいと理解すべきである。また、図４に示すように、干渉基地局としてのマクロ基地局４２０は、第１の情報取得ユニット１２２と設定ユニット１２３を含み、ピコセル４３０及び／又は４４０は第２の情報取得ユニット１３２を含んでもよく、図５に示すように、干渉基地局としてのマクロ基地局４２０は、第１の情報取得ユニット２２２を含み、ピコセル４３０及び／又は４４０は、第２の情報取得ユニット２３２と設定ユニット２３３を含んでもよい。
【０１４１】
図７に示す例と類似して、図８の方法を利用して図９の例におけるマクロ基地局４２０がＡＢＳを送信する方法を周期的に設定することができる。注意すべきことは、図９の例において、マクロ基地局４２０が干渉基地局であり、ピコセル４３０、４４０がマクロ基地局４２０の干渉を受けるユーザー端末にサービスを提供する基地局である。
【０１４２】
以上で、図９に示す例に対する記述により、当業者は、本開示の実施例が一つ又は複数の基地局がサービスするユーザー端末が干渉を受ける無線通信ヘテロジニアスネットワークに実施することができる。この場合で、基地局がサービスする必要がない被干渉ユーザー端末により検出した情報に基づいて、干渉基地局のＡＢＳを設定することができる。
５．ハードウェア構成の例
【０１４３】
上記の本開示の実施例に基づく装置、ネットワーク又は基地局における各構成ユニットと構成デバイス等は、ソフトウェア、ファームウェア、ハードウェア又は何れかの組合せにより構成することができる。ソフトウェア又はファームウェアにより実現する場合に、記憶媒体又はネットワークから専用ハードウェア構造を有する機器（例えば図１０に示す汎用機器７００）へ当該ソフトウェア又はファームウェアを構成するプログラムをインストールし、当該機器が各種のプログラムをインストールした場合に、上記各構成ユニット、サブユニットの各種の機能を実行することができる。
【０１４４】
図１０において、ＣＰＵ（Ｃｅｎｔｒａｌ  Ｐｒｏｃｅｓｓｉｎｇ  Ｕｎｉｔ）７０１は、ＲＯＭ（Ｒｅａｄ−Ｏｎｌｙ  Ｍｅｍｏｒｙ）７０２に記憶したプログラム又は記憶部分７０８からランダムアクセスメモリ（ＲＡＭ）７０３にロードしたプログラムに基づいて各種の処理を実行する。ＲＡＭ７０３において、必要に応じて、ＣＰＵ７０１が各種の処理等を実行する際に必要なデータを記憶する。ＣＰＵ７０１、ＲＯＭ７０２、ＲＡＭ７０３は、バス７０４を介して接続されている。入力／出力インタフェース７０５もバス７０４に接続している。
【０１４５】
入力部分７０６（キーボード、マウス等を含む）、出力部分７０７（ディスプレイ、例えばＣＲＴ（Ｃａｔｈｏｄｅ  Ｒａｙ  Ｔｕｂｅ）、ＬＣＤ（Ｌｉｑｕｉｄ  Ｃｒｙｓｔａｌ  Ｄｉｓｐｌａｙ）等とスピーカ等を含む）、記憶部分７０８（ハードディスク等を含む）、通信部分７０９（ネットワークインタフェースカード例えばＬＡＮ（Ｌｏｃａｌ  Ａｒｅａ  Ｎｅｔｗｏｒｋ）カード、モデム等を含む）も入力／出力インタフェース７０５に接続される。通信部分７０９はネットワーク例えばインターネットを介して通信処理を実行する。必要に応じて、ドライバ７１０も入力／出力インタフェース７０５に接続している。着脱式媒体７１１例えば磁気ディスク、光ディスク、光磁気ディスク、半導体メモリー等は必要に応じてドライバ７１０にインストールされることにより、それから読み出したコンピュータプログラムが必要に応じて記憶部分７０８にインストールされるようにすることができる。
【０１４６】
ソフトウェアにより上記一連の処理を実現する場合に、ネットワーク例えばインターネット又は記憶媒体例えば着脱式媒体７１１からソフトウェアを構成するプログラムをインストールすることができる。
【０１４７】
当業者は、この記憶媒体が図１０に示すその中にプログラムを記憶した、デバイスと独立して配信してユーザーにプログラムを提供する着脱式媒体７１１に限定されないことと理解すべきである。着脱式媒体７１１の例は、磁気ディスク（フロッピー（登録商標）ディスクを含む）、光ディスク（ＣＤ−ＲＯＭ（Ｃｏｍｐａｃｔ  Ｄｉｓｃ  Ｒｅａｄ  Ｏｎｌｙ  Ｍｅｍｏｒｙ）とＤＶＤ（Ｄｉｇｉｔａｌ  Ｖｅｒｓａｔｉｌｅ  Ｄｉｓｃ）を含む）、光磁気ディスク（ＭＤ（Ｍｉｎｉ  Ｄｉｓｃ）を含む）と半導体メモリーを含む。又は、記憶媒体は、ＲＯＭ７０２、記憶部分７０８に含まれるハードディスク等であってもよく、その中にプログラムを記憶し、それらを含むデバイスと一緒にユーザーに配信される。
【０１４８】
また、本開示は、さらに機器読み取り可能な指令コードが記憶されたプログラム製品を提案している。上記指令コードが機器に読み取られて実行される場合、上記の本発明実施例に基づく処理方法を実行できる。相応的に、これらのプログラム製品を搭載するための例えば磁気ディスク、光ディスク、光磁気ディスク、半導体メモリー等の各種の記憶媒体も本開示の技術案に含まれる。
【０１４９】
また、勿論、本開示の実施例に基づく処理方法の各操作過程も各種機器読み取り可能な記憶媒体に記憶されるコンピュータ実行可能なプログラムにより実現されてもよい。
【０１５０】
注意すべきことは、本開示の実施例に基づく装置、ネットワーク及び基地局の各構成ユニット又は構成デバイスは、独立な部品であってもよく、一つの部品により若干の構成ユニット又は構成デバイスの機能を実現してもよい。
【０１５１】
本開示は、無線通信ヘテロジニアスネットワークにおいてＡＢＳを設定するための装置、無線通信ヘテロジニアスネットワーク、無線通信ヘテロジニアスネットワークにおいてＡＢＳを設定するための方法及び当該方法を実行するためのプログラムと当該プログラムを記憶した記憶媒体を開示しただけでなく、無線通信ヘテロジニアスネットワークにおいてＡＢＳを設定するための装置を含んだ基地局も開示した。
【０１５２】
以上では本開示に基づく最適な実施例を記述したが、上記記述は、本開示を説明するためであり、本開示を意図的限定するものではない。当業者は、本開示の範囲を逸脱しない場合に、本開示の実施例のそれぞれの特徴に対して修正、取り替え、組合せ及び一部の組合せを行うことができる。本開示の範囲は、添付の請求項によって確定される。
【図１】
0006004119.tif 000003
【図２】
0006004119.tif 000004
【図３】
0006004119.tif 000005
【図４】
0006004119.tif 000006
【図５】
0006004119.tif 000007
【図６】
0006004119.tif 000008
【図７】
0006004119.tif 000009
【図８】
0006004119.tif 000010
【図９】
0006004119.tif 000011
【図１０】
0006004119.tif 000012